(57)【特許請求の範囲】
【請求項１】
筐体の上面に配列される多数のキーと、異なる種類の電子機器が有する種々のＯＳに対応してインタフェースモードを切替えることができるファームウェアと、電子機器接続用のコネクタを末端に有する接続ケーブルとを具備する汎用型のキーボードにおいて、
前記筐体上の接近可能な部位に配設される前記ファームウェアのモード切替スイッチを具備し、
前記接続ケーブルの前記コネクタが、前記異なる種類の電子機器への接続を可能にする延長ケーブルの対応コネクタに嵌合でき、
前記筐体の表面に、相互嵌合した前記接続ケーブルの前記コネクタと前記延長ケーブルの前記対応コネクタとの双方を収容できる凹部が設けられ、
前記モード切替スイッチが、前記凹部内に設置されること、
を特徴とするキーボード。
【請求項２】
前記モード切替スイッチがメカニカルスイッチからなる請求項１に記載のキーボード。
【請求項３】
前記モード切替スイッチが近接スイッチからなる請求項１に記載のキーボード。
【発明の詳細な説明】
【０００１】
【発明の属する技術分野】
本発明は、コンピュータ等の電子機器の入力装置であるキーボードに関し、特に、異なる種類の電子機器へ接続できる汎用型のキーボードに関する。
【０００２】
【従来の技術】
従来、パーソナルコンピュータやワードプロセッサ等の電子機器において、機器の小型化を進めるに際し、キースイッチ（以下、キーと略称する）の配列や形状を工夫することにより小型化を達成した種々のキーボードが提案されている。例えば、携帯用のノート型電子機器で使用されている低背キーボードは、デスクトップ型電子機器で使用される標準寸法のキーボード（以下、標準キーボードと略称する）に比べて、キーの高さ方向の寸法を削減するとともに打鍵操作ストロークを短縮することにより、低背化すなわち薄型化を達成している。しかし、打鍵ストロークが短く、また特有のキー配列を有するので、標準キーボードに馴染んだ操作者には扱い難い傾向がある。また、キーの寸法、打鍵ストローク及び配列は変更せずに、キーの配置間隔を狭めることにより小型化したキーボードが知られているが、やはり標準キーボードとは操作感覚にかなりの差異がある。
【０００３】
他方、標準キーボードにおけるテンキーを排除したり多用途キーを有効利用したりして、キー数を削減することにより小型化したキーボードが知られている（例えば特開平１０−１７７４４５号公報参照）。なお、本明細書で多用途キーとは、１つのキーで、異なる文字、符号等の記号（一般にアルファニューメリックと称する）を選択的に切替えて指示できるもの、及び電子機器の種々の機能（一般にファンクションと称する）を選択的に切替えて指示できるものを含むものとする。一般にキーボードでは、複数種類の多用途キーと、それら多用途キーの各々と同時操作することにより当該多用途キーの用途を決定する複数種類の付加操作キー（例えばシフトキー、コントロールキー等）とが設けられる。
【０００４】
特に、特開平１０−１７７４４５号公報に記載されるコンピュータ用の小型キーボードは、テンキー及びカーソルキーを排除するとともに、標準キーボードではテンキーと同様に記号（アルファニューメリック）キーの周辺に若干離れて配列される複数の機能（ファンクション）キーをも排除している。排除された機能キーによって指示されることになっていた機能は、残された所望のキーに新たな選択的指示項目として追加され、それにより、固有の記号指示と追加された機能指示とを遂行できる多用途記号キーが構成される。さらにこの小型キーボードでは、複数種類の付加操作キーの１つとして、多用途記号キーに機能指示を遂行させる機能指示選択キー（Ｆｎキーと称する）が設置される。
【０００５】
ところで、一般にデータ入力装置としてのキーボードは、接続対象のコンピュータのＯＳ（オペレーティングシステム）に対応するインタフェースモード（キーの打鍵操作を所定の電気信号に変換する信号変換モード）をファームウェア（内蔵プログラム）に組み込んであり、ＯＳが変わると信号変換形式やコマンドが異なるので汎用性が無いものとなっている。これに対し、上記した特開平１０−１７７４４５号公報では、異なる種類のコンピュータに装備された種々のＯＳに対応して、インタフェースモードを自動的に切替えることができるファームウェアを備えた汎用キーボードが開示されている。この汎用キーボードでは、キーボードに装備された接続ケーブルを、各種コンピュータのＯＳに対応した種々の延長ケーブルに適宜交換して接続することにより、ファームウェアが当該ＯＳを自動認識して、インタフェースモードを自動的に切替えるようになっている。
【０００６】
【発明が解決しようとする課題】
上記した従来の小型キーボードでは、多用途記号キーを採用してキー数を削減したことにより、個々のキーの寸法やストロークを変更せずに、しかもキーボードによる機能指示能力を低下させることなく、キーボードを小型化できる。しかし、多用途記号キーに機能指示を遂行させる機能指示選択キーが、キー配列の右端に１つしか設置されないので、同時操作を要する多用途記号キー及び機能指示選択キーの使い勝手に劣る懸念がある。しかも、使用頻度の高いカーソルキーを排除して、幾つかの多用途記号キーにカーソル移動指示機能を付加しているので、カーソル操作性にも劣るものとなっている。
【０００７】
また、従来の小型キーボードでは、筐体寸法を可及的に削減することにより、筐体の上面部分が、配列したキーの外側に僅かに設けられる程度まで縮小されている。その結果、筐体上面に操作者の手を置いて打鍵操作することは困難であり、使用感に劣るとともに疲労を増加させる傾向があった。
【０００８】
さらに、上記した従来の汎用キーボードでは、接続ケーブル及び延長ケーブルの取扱いが煩わしく、相互接続した両ケーブルが机上に乱雑に放置される場合には、小型化したキーボードの利点である机上での省スペース性を損なう懸念もある。また、ファームウェアによるＯＳ自動認識機能の信頼性及び確実性を確保する必要がある。
【００１０】
本発明の目的は、異なる種類の電子機器へ接続できる汎用型のキーボードにおいて、接続ケーブル及び延長ケーブルを整然と取扱うことができるとともに、インタフェースモードの切替えの信頼性及び確実性を向上させることができるキーボードを提供することにある。
【００１１】
【課題を解決するための手段】
上記目的を達成するために、請求項１に記載の発明は、筐体の上面に配列される多数のキーと、異なる種類の電子機器が有する種々のＯＳに対応してインタフェースモードを切替えることができるファームウェアと、電子機器接続用のコネクタを末端に有する接続ケーブルとを具備する汎用型のキーボードにおいて、筐体上の接近可能な部位に配設されるファームウェアのモード切替スイッチを具備し、接続ケーブルのコネクタが、異なる種類の電子機器への接続を可能にする延長ケーブルの対応コネクタに嵌合でき、筐体の表面に、相互嵌合した接続ケーブルのコネクタと延長ケーブルの対応コネクタとの双方を収容できる凹部が設けられ、モード切替スイッチが、凹部内に設置されることを特徴とするキーボード
を提供する。
【００１８】
請求項２に記載の発明は、請求項１に記載のキーボードにおいて、モード切替スイッチがメカニカルスイッチからなるキーボードを提供する。
請求項３に記載の発明は、請求項１に記載のキーボードにおいて、モード切替スイッチが近接スイッチからなるキーボードを提供する。
【００１９】
【発明の実施の形態】
以下、添付図面を参照して、本発明の実施の形態を詳細に説明する。図面において、同一又は類似の構成要素には共通の参照符号を付す。
図面を参照すると、図１は本発明の一実施形態によるキーボード１０の平面図、図２はキーボード１０の側面図、図３はキーボード１０のキー配列を示す図である。キーボード１０は、キー数を削減することにより小型化を達成したものであり、パーソナルコンピュータ（図示せず）に着脱自在に接続して使用される。
【００２０】
キーボード１０は、筐体１２の上面１２ａに配列される多数のキー１４を備える。それらキー１４は、操作者から見て前後方向４列に配置される複数の記号（アルファニューメリック）キー１６と、それら記号キー１６の周辺に配置される複数の機能（ファンクション）キー１８とを含んでなる。それら記号キー１６及び機能キー１８のうちの幾つかは、互いに種類の異なる多用途キー２０として構成（すなわちプログラム）される。また、それら多用途キー２０の各々と同時操作することにより当該多用途キー２０の用途を決定する複数種類の付加操作キー２２が、キー配列の左右端領域に分散して設置される。多数のキー１４は、標準キーボードにおけるキー配置間隔と実質的に同じ配置間隔を一様に有して配列される。また各キー１４は、標準キーボードにおけるキーと実質的に同じ寸法及び打鍵操作ストロークを有する。
【００２１】
キーボード１０では、標準キーボードにおけるテンキーが排除されるとともに、標準キーボードではテンキーと同様に記号キーの周辺に若干離れて配列される複数の機能キーが排除されている。排除された機能キーによって指示されることになっていた機能は、残されたキー１４のうちの幾つかに新たな選択的指示項目として追加され、それにより、固有の記号指示と追加された機能指示とを選択的に遂行できる多用途記号キー２４が構成される。さらにキーボード１０では、複数種類の付加操作キー２２の１つとして、多用途記号キー２４に機能指示を遂行させる機能指示選択キー（Ｆｎキー）２６が、キー配列の左右両端領域に１つずつ設置される。
【００２２】
例えば、数字「３」を指示する記号キー１６は、固有の記号指示として「３」と「＃」とを選択的に切替えて指示できる多用途キー２０であるとともに、機能指示選択キー２６を同時操作することにより「Ｆ３」で特定される機能を選択して指示できる多用途記号キー２４として構成される。また、英字「Ｅ」を指示する記号キー１６は、固有の記号指示としては「Ｅ」のみを指示でき、さらに機能指示選択キー２６を同時操作することにより「Ｃｏｐｙ」で特定される機能を選択して指示できる多用途記号キー２４として構成される。
【００２３】
このようにキーボード１０では、多用途記号キー２４を採用してキー数を削減したことにより、標準キーボードに比べて、個々のキー１４の寸法や打鍵操作ストロークを変更せずに、またキーボードの機能指示能力を低下させることなく、小型化が可能になる。しかも、機能指示選択キー２６を、キー配列の左右両端領域に１つずつ設置したので、左右いずれの手でも機能指示選択キー２６を操作でき、結果として、同時操作を要する多用途記号キー２４及び機能指示選択キー２６の使い勝手が向上し、標準キーボードに馴染んだ操作者にも扱い易い小型キーボード１０が提供される。
【００２４】
キーボード１０はさらに、多用途記号キー２４から独立して、カーソル移動指示機能を少なくとも有する４個のカーソルキー２８を備える。それらカーソルキー２８は、標準キーボードにおける配置と同様に、キー配列の右端領域に集合して配置される。各カーソルキー２８は、単独で打鍵操作することによりカーソル移動指示を遂行できるものとして構成される。したがってキーボード１０では、比較的使用頻度の高いカーソル操作を、標準キーボードと同様にして簡潔かつ容易に実施することができる。
【００２５】
なお、上記した機能指示選択キー２６やカーソルキー２８には、操作時の目視による識別を容易にするために、他のキー１４とは異なる色を着けることが好ましい。また、各多用途記号キー２４の、機能指示選択キー２６を同時操作することにより選択される機能は、図３に示すように、キートップ前傾面２４ａに表示することが有利である。この観点で、図示実施形態では、記号キー１６以外のキー（例えばカーソルキー２８）にも、機能指示選択キー２６を同時操作することにより選択される各種機能が選択的指示項目として追加されている。
【００２６】
キーボード１０は、筐体１２の上面１２ａの一側縁に沿って、パームレスト３０（図４）を着脱自在に取付けることができる取付部を備える。この取付部は、筐体上面１２ａの前端縁に多数のキー１４に隣接して形成されるパームレスト受け面３２と、筐体下面１２ｂに形成される一対のパームレスト蝶着部３４（図６）とを有する。前述した４個のカーソルキー２８は、キー配列の右端でそのうちの３個が手前側に突出して配置される。それにより筐体上面１２ａは、キー配列前端のスペースキー１４Ｓの手前側かつキー配列右端の３個のカーソルキー２８の左側に、キー１列に相当する領域を有し、その領域にパームレスト受け面３２が形成される。また、パームレスト蝶着部３４は、パームレスト受け面３２の下方で、互いに離隔して筐体下面１２ｂに形成される一対の空洞部に設けられる。
【００２７】
図４〜図６に示すように、パームレスト３０は、所望によりキーボード１０の筐体１２に装着及び離脱できる着脱式要素であり、筐体１２の左右方向全長に略等しい長さと、操作者がキー操作中に両手を載せるに十分な奥行と、両手を載せた状態での操作性を悪化させない程度の高さとを有する。また、パームレスト３０の上面は、人間工学的曲面からなる手置面３６として形成される。したがってキーボード１０では、筐体１２の外形寸法を可及的に削減した結果、筐体上面１２ａがキー１４の外側に僅かに設けられる程度まで縮小されているにも関わらず、パームレスト３０を装着することにより、操作者の使用感を著しく向上させるとともに疲労を効果的に軽減することができる。
【００２８】
パームレスト３０はさらに、キーボード筐体１２の取付部（パームレスト受け面３２及びパームレスト蝶着部３４）と協働する対応取付部として、手置面３６から円滑に延長される表面を有する張出部３８と、張出部３８の下方に形成される一対の枢軸部４０とを備える。張出部３８は、キーボード筐体１２のパームレスト受け面３２を少なくとも部分的に覆う寸法を有した薄板状部分であり、パームレスト装着時の外観を向上させるように作用する。
【００２９】
図７〜図９に示すように、キーボード筐体１２の一対のパームレスト蝶着部３４の各々は、筐体前端面を形成する前壁部分４２と、パームレスト受け面３２を有する上壁部分４４と、前壁部分４２に対向する後壁部分４６と、一対の側壁部分４８とによって画成される空洞部に設けられ、後壁部分４６から前方へ略水平に突出する係止突起５０を備える。係止突起５０は平板状要素であり、その前端に、上方へ延びる爪５２が形成される。各壁部分４２、４４、４６、４８と係止突起５０との間には隙間が形成され、その隙間を通して、パームレスト３０の対応の枢軸部４０がパームレスト蝶着部３４に受容されるようになっている。
【００３０】
パームレスト３０の各枢軸部４０は、手置面３６に連結される張出部３８の基端から下方へ延びる壁部分５４に沿ってキーボード筐体１２の各パームレスト蝶着部３４に対応する位置に形成され、壁部分５４から略水平に突出する一対の腕５６と、それら腕５６の末端同士を連結する軸５８とを備える。軸５８は、両腕５６の上方へ延びる平板状要素であり、その中央に、対応の係止突起５０の先端を受容可能な開口６０が形成される。
【００３１】
パームレスト３０をキーボード筐体１２に装着する際には、まず各枢軸部４０の軸５８を対応のパームレスト蝶着部３４に挿入し、次いで各係止突起５０の爪５２を軸５８の開口６０に挿入しつつ、各枢軸部４０の両腕５６をパームレスト蝶着部３４に挿入する。その状態で、キーボード筐体１２及びパームレスト３０を平坦な基準面Ｒ上に置くと、両パームレスト蝶着部３４の係止突起５０の爪５２が、対応の枢軸部４０の軸５８に係止され、以てパームレスト３０が筐体１２の前端に連結される。この状態でパームレスト３０は、パームレスト蝶着部３４の係止突起５０と枢軸部４０の軸５８との相互係合部位を中心として、筐体１２に回動可能に取付けられることになる。
【００３２】
図６及び図１０に示すように、キーボード１０の筐体１２の下面１２ｂには、その後端縁に沿った左右両端領域に、折畳式に収納可能な一対の脚６２が設置される。パームレスト３０を装着したキーボード１０を、平坦な基準面Ｒ上でそれら脚６２を立てた状態で使用する際には、パームレスト３０は上記したように筐体１２に回動可能に取付けられているので、手置面３６の姿勢を実質的に変動させることがない。したがってそのような使用状態においても、パームレスト３０の手支持作用により安定したキー打鍵操作を実施することができる。
【００３３】
このようにパームレスト３０は、小型化により可及的に削減された筐体１２の上面１２ａを拡張する作用を有する。したがってその作用を利用して、図１１に示すように、パームレスト３０にポインティングデバイス６４を搭載することができる。図示の例では、平面押圧入力式のいわゆるタッチパッドが搭載されている。なおこの場合、筐体１２とパームレスト３０との双方に、ポインティングデバイス６４による入力信号を送受信するためのインタフェース部（図示せず）が形成される。
【００３４】
図１２に示すように、キーボード１０は、電子機器接続用コネクタ６６を末端に有する接続ケーブル６８を装備することができる。これに対応して、筐体１２の下面１２ｂには、接続ケーブル６８のコネクタ６６を収容可能な凹部７０（図６参照）が設けられる。
【００３５】
また図１３（ａ）に示すように、接続ケーブル６８のコネクタ６６は、特定のコンピュータに直接的に接続されるだけでなく、異なるＯＳ（オペレーティングシステム）を有する様々な電子機器（例えばコンピュータ）への接続を可能にする種々の延長ケーブル７２の対応コネクタ７４に嵌合するように構成できる。この種の延長ケーブル７２は、接続対象の種々の電子機器のＯＳに対応して用意される。
【００３６】
したがってこの場合、図１３（ｂ）に示すように、凹部７０を、相互嵌合した接続ケーブル６８のコネクタと延長ケーブル７２の対応コネクタ７４との双方を収容できるように形成することが有利である。このような構成によれば、接続ケーブル６８と延長ケーブル７２とを、机上でキーボード１０の周囲に乱雑に放置されないように整然と取扱うことができる。したがって、小型化したキーボード１０の利点である机上での省スペース性を損なうことなく、キーボード１０を様々な種類のコンピュータに適宜接続して使用することができる。
【００３７】
上記した延長ケーブル７２を使用する場合、キーボード１０には、異なる種類の電子機器が有する種々のＯＳに対応して、予め設定した複数のインタフェースモード（キーの打鍵操作を所定の電気信号に変換する信号変換モード）を適宜切替えて指令できるファームウェア（内蔵プログラム）が装備される。したがって、接続ケーブル６８に所望ＯＳ対応の延長ケーブル７２を接続すると同時に、キーボード１０のファームウェアのインタフェースモードを適宜切替えることにより、所望ＯＳを有する電子機器にキーボード１０を汎用的に接続して使用することができる。
【００３８】
インタフェースモードの切替えは、キーボード１０のファームウェアに自動認識機能を付加することにより実施することもできるが、本発明ではその代わりに、キーボード１０の筐体１２上の、操作者が比較的容易に接近可能な部位に、ファームウェアのモード切替スイッチ７６を設置する構成を採用する。このような構成によれば、インタフェースモードの切替えの信頼性及び確実性を、比較的容易に向上させることができる。
【００３９】
モード切替スイッチ７６は、例えば図１４に示すように、接続ケーブル６８のコネクタ６６を収容可能な凹部７０内に設置されることが好ましい。モード切替スイッチ７６の操作は通常、接続ケーブル６８に延長ケーブル７２を接続する度に行われるので、凹部７０内にモード切替スイッチ７６を設置することにより、操作者に切替操作を喚起することができる。しかも、筐体外面に露出して設置される場合に不注意により生じ得るモード切替スイッチ７６の誤操作を未然に防止でき、またキーボード１０の美的外観を損なうこともない。
【００４０】
モード切替スイッチ７６は、例えば図１５に示すように、回転操作スイッチ７６ａ（図１５（ａ））、スライド操作スイッチ７６ｂ（図１５（ｂ））、ディップスイッチ７６ｃ（図１５（ｃ））等の、周知のメカニカルスイッチから構成することができる。或いは図１６及び図１７に示すように、接続ケーブル６８のコネクタ６６の外面に突起７８を設けるとともに、筐体１２の凹部７０の内壁にコネクタ６６の突起７８を受容可能な開口部８０を設け、開口部８０の内側に、光センサ８２等の突起感知手段を設置することにより、近接スイッチ型のモード切替スイッチを構成することもできる。この場合、接続ケーブル６８のコネクタ６６を凹部７０に収容する際に、突起７８を開口部８０に挿入する形態（図１７（ａ））と、突起７８を開口部８０に挿入しない形態（図１７（ｂ））とのいずれかを選択して収容することにより、突起感知手段の感知信号の有無に基づいてインタフェースモードを切替えることができる。また、突起感知手段として、光センサ８２の代わりに触覚センサ８４（図１７（ｃ））を用いることもできる。
【００４１】
上記した近接スイッチ型のモード切替スイッチでは、図１８及び図１９に示すように、接続ケーブル６８のコネクタ６６の外面に複数の突起７８を設けるとともに、筐体１２の凹部７０の内壁に、それぞれにコネクタ６６の突起７８を受容可能な複数の開口部８０を設けることもできる。図示の構成では、コネクタ６６の中心軸線に関して角度的にずれた２か所にそれぞれ、軸線方向へ整列する一対の突起７８ａと、１つの突起７８ｂとがそれぞれ設置され、凹部７０の内壁に一対の開口部８０が形成される。各開口部８０の内側には突起感知手段（図示せず）が設置される。このような構成によれば、コネクタ６６を凹部７０に収容する際に、一対の突起７８ａを両方の開口部８０に挿入する形態（図１９（ａ））と、１つの突起７８ｂを一方の開口部８０に挿入する形態（図１９（ｂ））と、いずれの突起７８ａ、７８ｂも開口部８０に挿入しない形態（図１９（ｃ））とのいずれかを選択して収容することにより、インタフェースモードを３種類に切替えることができる。同様に、突起、開口部及び突起感知手段を適宜個数設置することにより、所望種類のインタフェースモードの切替えが可能となる。
【００４２】
図２０及び図２１に示すように、接続ケーブル６８のコネクタ６６の外面に、突起７８の代わりに導電性のフィルムや板等からなる導電部材８６を設けるとともに、筐体１２の凹部７０の開口部８０に、一対の導電ピン８８を設置する構成とすることもできる。このような構成によれば、コネクタ６６を凹部７０に収容する際に、導電部材８６によって一対の導電ピン８８を短絡させる形態（図２１（ａ））と、導電部材８６が一対の導電ピン８８を短絡させない形態（図２１（ｂ））とのいずれかを選択して収容することにより、インタフェースモードを切替えることができる。
【００４３】
【発明の効果】
以上の説明から明らかなように、本発明によれば、異なる種類の電子機器へ接続できる汎用型のキーボードにおいて、接続ケーブル及び延長ケーブルを整然と取扱うことが可能になり、しかもインタフェースモードの切替えの信頼性及び確実性を向上させることができる。
【図面の簡単な説明】
【図１】本発明の一実施形態によるキーボードの平面図である。
【図２】図１のキーボードの側面図である。
【図３】図１のキーボードにおけるキー配列を示す平面図である。
【図４】図１のキーボードに着脱式パームレストを装着したパームレスト付キーボードの平面図である。
【図５】図４のキーボードの（ａ）左側面図、及び（ｂ）右側面図である。
【図６】図４のキーボードの底面図である。
【図７】図６の線 VII−VII に沿った断面側面図である。
【図８】図７に対応する図で、（ａ）パームレストの部分拡大断面図、及び（ｂ）キーボード筐体の部分拡大断面図である。
【図９】キーボード筐体とパームレストとの相互連結部分を下方から見た拡大斜視図である。
【図１０】図４のキーボードの他の使用形態を示す右側面図である。
【図１１】変形例によるパームレストを装着した図１のキーボードの平面図である。
【図１２】図１のキーボードの変形例の背面図である。
【図１３】図１２のキーボードの部分拡大底面図で、（ａ）延長ケーブル接続時の図、及び（ｂ）延長ケーブル収納時の図である。
【図１４】本発明の他の実施形態によるモード切替スイッチを備えたキーボードの部分拡大底面図である。
【図１５】図１４のキーボードに装備されるモード切替スイッチの種々の例を示す概略斜視図で、（ａ）回転操作スイッチ、（ｂ）スライド操作スイッチ、及び（ｃ）ディップスイッチを示す。
【図１６】変形例によるモード切替スイッチを備えたキーボードの部分拡大底面図である。
【図１７】図１６のキーボードに装備されるモード切替スイッチの操作形態を示す断面図で、（ａ）突起感知時、（ｂ）突起非感知時、及び（ｃ）他の感知手段による突起感知時の各形態を示す。
【図１８】他の変形例によるモード切替スイッチを備えたキーボードの部分拡大底面図である。
【図１９】図１８のキーボードに装備されるモード切替スイッチの操作形態を示す断面図で、（ａ）２個の突起感知時、（ｂ）１個の突起感知時、及び（ｃ）突起非感知時の各形態を示す。
【図２０】さらに他の変形例によるモード切替スイッチを備えたキーボードの部分拡大底面図である。
【図２１】図２０のキーボードに装備されるモード切替スイッチの操作形態を示す断面図で、（ａ）短絡時、及び（ｂ）非短絡時の各形態を示す。
【符号の説明】
１０…キーボード
１２…筐体
１２ａ…上面
１２ｂ…下面
１４…キー
１６…記号キー
１８…機能キー
２０…多用途キー
２２…付加操作キー
２４…多用途記号キー
２６…機能指示選択キー
２８…カーソルキー
３０…パームレスト
３２…パームレスト受け面
３４…パームレスト蝶着部
３８…張出部
４０…枢軸部
６４…ポインティングデバイス
６６…コネクタ
６８…接続ケーブル
７０…凹部
７２…延長ケーブル
７４…対応コネクタ
７６…モード切替スイッチ
７８…突起
８０…開口部
８２…光センサ
８６…導電部材
８８…導電ピン
【図１】
0004204144.tif 000002
【図２】
0004204144.tif 000003
【図３】
0004204144.tif 000004
【図４】
0004204144.tif 000005
【図５】
0004204144.tif 000006
【図６】
0004204144.tif 000007
【図７】
0004204144.tif 000008
【図８】
0004204144.tif 000009
【図９】
0004204144.tif 000010
【図１０】
0004204144.tif 000011
【図１１】
0004204144.tif 000012
【図１２】
0004204144.tif 000013
【図１３】
0004204144.tif 000014
【図１４】
0004204144.tif 000015
【図１５】
0004204144.tif 000016
【図１６】
0004204144.tif 000017
【図１７】
0004204144.tif 000018
【図１８】
0004204144.tif 000019
【図１９】
0004204144.tif 000020
【図２０】
0004204144.tif 000021
【図２１】
0004204144.tif 000022